(57)【要約】【課題】通信端末装置で、グループ通信をしている場合に、グループ内のメンバーと個別に通信を行う処理を簡略化する。【解決手段】通信端末装置の制御部２４は、グループ通信中に、テンキー１６が押下されると、そのセッションを保持したままでで、個別通信に移行する。個別通信におけるトークボタンは、同じテンキーが利用される。個別通信のセッションは、一定時間保持され、グループ通信と個別通信のセッション間でスムーズに移行する。【選択図】図２
2007243864.tif 000002
【特許請求の範囲】
【請求項１】
ＰｏＣサーバとの間でセッションを確立し、プレストーク機能を用いて通信を行う通信端末装置において、
第１の通信相手に対応する第１のボタンと、第２の通信相手に対応する第２のボタンと、前記第１及び第２のボタンの押下を検知する制御部とを備え、該制御部は、
前記第１のボタンの押下を検知して、前記第１の通信相手との間のセッション確立要求を送信し、該第１の通信相手との間で第１のセッションが確立されると、該確立されたセッション情報をセッション情報保持部に記憶する手段と、
前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶する手段と、
前記第１のセッション及び第２のセッションが確立された状態で、前記第１又は第２のボタンの押下を検知すると、前記第１のセッション又は第２のセッションにおける発言権取得要求を送信する手段とを備える、
ことを特徴とする通信端末装置。
【請求項２】
前記制御部は、前記第１及び第２のセッションが確立した後に、前記第１のボタンの押下によって前記第１の通信相手に発言権が取得されると、前記第２の通信相手との間のセッションを一時的に保持する手段を更に備える、請求項１に記載の通信端末装置。
【請求項３】
前記制御部は、前記第２の通信相手とのセッション情報が記憶され、且つ、前記第１のセッションが確立された状態で、前記第２のボタンの押下を検知すると、前記記憶された第２の通信相手とのセッション情報に基づいて前記第２の通信相手との間での発言権取得要求を送信する手段を更に備える、請求項１又は２に記載の通信端末装置。
【請求項４】
前記第２のボタンを複数備える、請求項１〜３の何れか一に記載の通信端末装置。
【請求項５】
前記第２のボタンがテンキーボタンである、請求項４に記載の通信端末装置。
【請求項６】
前記第１の通信相手は特定のグループであり、前記第２の通信相手は、該特定のグループに含まれる個人である、請求項４又は５に記載の通信端末装置。
【請求項７】
前記第２のボタンと、グループ内の各相手とを対応付けて記憶装置に記憶する手段と、該記憶された対応付けを表示する表示装置とを更に備える、請求項４〜６の何れか一に記載の通信端末装置。
【請求項８】
前記制御部は、前記第１のボタンと１つ以上の第２のボタンとが同時に押下されると、該押下された第２のボタンに対応する第２の通信相手を除いたグループ内のメンバーと個別に通信するセッションを確立する手段を更に備える、請求項４〜７の何れか一に記載の通信端末装置。
【請求項９】
第１の通信相手に対応する第１のボタンと、第２の通信相手に対応する第２のボタンと、前記第１及び第２のボタンの押下を検知する制御部とを備え、ＰｏＣサーバとの間でセッションを確立し、プレストーク機能を用いて通信を行う通信端末装置で通信を行う通信方法であって、
前記制御部が、前記第１のボタンの押下を検知して、前記第１の通信相手との間のセッション確立要求を送信し、該第１の通信相手との間で第１のセッションが確立されると、該確立されたセッション情報をセッション情報保持部に記憶するステップと、
前記制御部が、前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶するステップと、
前記制御部が、前記第１のセッション及び第２のセッションが確立された状態で、前記第１又は第２のボタンの押下を検知すると、前記第１のセッション又は第２のセッションにおける発言権取得要求を送信するステップとを有することを特徴とする通信方法。
【請求項１０】
第１の通信相手に対応する第１のボタンと、第２の通信相手に対応する第２のボタンと、前記第１及び第２のボタンの押下を検知する制御部とを備え、ＰｏＣサーバとの間でセッションを確立し、プレストーク機能を用いて通信を行う通信端末装置を制御するためのプログラムであって、前記制御部に、
前記制御部が、前記第１のボタンの押下を検知して、前記第１の通信相手との間のセッション確立要求を送信し、該第１の通信相手との間で第１のセッションが確立されると、該確立されたセッション情報をセッション情報保持部に記憶するステップと、
前記制御部が、前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶するステップと、
前記制御部が、前記第１のセッション及び第２のセッションが確立された状態で、前記第１又は第２のボタンの押下を検知すると、前記第１のセッション又は第２のセッションにおける発言権取得要求を送信するステップとを実行させることを特徴とするプログラム。
【発明の詳細な説明】
【技術分野】
【０００１】
本発明は、通信端末装置、通信方法、及び、プログラムに関し、特に、PoC（Push-to-Talk over Cellular）サーバを用いてグループ通信を行う際に好適な通信端末装置、通信方法、及び、プログラムに関する。
【背景技術】
【０００２】
１対複数間の通話を可能とするPoC通信システムが知られている。PoC通信システムでは、半２重通信をパケット網で行い、Ｔａｌｋボタンを押すことで簡便な通信を行う通信システムである。PoC通信システムでは、携帯端末装置をトランシーバのように利用して通話を行う。通話者は、ボタンを押して移動通信システムを制御するPoCサーバに向けて通話を送信する。PoCサーバは、この通話を送信先（相手側）の携帯端末装置に送信する。
【０００３】
PoC機能による通信においては、１人の相手に対する１対１通信、または複数人の相手に対する１対多通信（以下、グループ通信）を行うことができる。ここで、PoC機能を用いてグループ通信を行っている際に、グループ内の他のメンバーを除いて特定のメンバーに対してのみ通信をしたい場合がある。その場合には、通信相手のグループとのセッションを一旦解除し、その特定メンバーの通信相手先を指定して再びセッションを確立した後に通信を行う。その特定のメンバーとの通信が完了すると、さらに再度、元のグループを通信相手先として指定し直して、通信をする必要がある。このため、操作がわずらわしいという問題がある。
【０００４】
特許文献１には、インターネットを利用したトランシーバでの送受信の際に、送受信状態を自動的に切り替えるトランシーバＶＯＩＰシステムが記載されている。このシステムでは、一斉同報ボタンを押下することによって、全ての相手先との通信が可能になり、その後、群同報ボタンを押下することによって、予め設定された相手先の内の一部から成る相手先群との間で通信が可能になる。ここで、複数の同報ボタンを押下すれば、それに応じた複数の相手先群との間での通信も可能である。
【０００５】
特許文献２には、特許文献１と同様に、グループ通信からグループの一部の通信先への切替が可能な無線通信システムが記載されている。
【特許文献１】特開２００５−１５９４８４号公報
【特許文献２】特開２００５−１１７１９７号公報
【発明の開示】
【発明が解決しようとする課題】
【０００６】
ＰｏＣ通信システムを利用して、例えば、客先である特定通信先と、同じ会社内の特定通信先とを含むグループに通話を行う場合を考える。このような場合には、特定の通信先との間での通話と、グループ間の通話との切替えの頻度よりも、一方の特定通信先と他方の特定通信先との間の切替えの頻度が高い。このような切替えに際しては、特許文献１に記載の技術では、一方の特定通信先を選択するキーを押下して通話を行い、その通話が完了すると、他方の特定通信先を選択するキーを押下して通話を行うという処理を行う。この場合、双方の特定通信先の何れかに複数の通信端末装置が存在する場合には、そのグループを予め選択してキーに割り付ける必要があり、群の選択が複雑である。
【０００７】
本発明は、上記に鑑み、２つ以上の通信先との間で確立されるセッションの切替えに際して、その選択処理が容易な通信端末装置、通信方法、及び、プログラムを提供することを目的とする。
【課題を解決するための手段】
【０００８】
上記目的を達成するために、本発明の通信端末装置は、ＰｏＣサーバとの間でセッションを確立し、プレストーク機能を用いて通信を行う通信端末装置において、
第１の通信相手に対応する第１のボタンと、第２の通信相手に対応する第２のボタンと、前記第１及び第２のボタンの押下を検知する制御部とを備え、該制御部は、
前記第１のボタンの押下を検知して、前記第１の通信相手との間のセッション確立要求を送信し、該第１の通信相手との間で第１のセッションが確立されると、該確立されたセッション情報をセッション情報保持部に記憶する手段と、
前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶する手段と、
前記第１のセッション及び第２のセッションが確立された状態で、前記第１又は第２のボタンの押下を検知すると、前記第１のセッション又は第２のセッションにおける発言権取得要求を送信する手段とを備えることを特徴とする。
【０００９】
また、本発明の通信方法は、第１の通信相手に対応する第１のボタンと、第２の通信相手に対応する第２のボタンと、前記第１及び第２のボタンの押下を検知する制御部とを備え、ＰｏＣサーバとの間でセッションを確立し、プレストーク機能を用いて通信を行う通信端末装置で通信を行う通信方法であって、
前記制御部が、前記第１のボタンの押下を検知して、前記第１の通信相手との間のセッション確立要求を送信し、該第１の通信相手との間で第１のセッションが確立されると、該確立されたセッション情報をセッション情報保持部に記憶するステップと、
前記制御部が、前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶するステップと、
前記制御部が、前記第１のセッション及び第２のセッションが確立された状態で、前記第１又は第２のボタンの押下を検知すると、前記第１のセッション又は第２のセッションにおける発言権取得要求を送信するステップとを有することを特徴とする。
【００１０】
更に、本発明のプログラムは、第１の通信相手に対応する第１のボタンと、第２の通信相手に対応する第２のボタンと、前記第１及び第２のボタンの押下を検知する制御部とを備え、ＰｏＣサーバとの間でセッションを確立し、プレストーク機能を用いて通信を行う通信端末装置を制御するためのプログラムであって、前記制御部に、
前記制御部が、前記第１のボタンの押下を検知して、前記第１の通信相手との間のセッション確立要求を送信し、該第１の通信相手との間で第１のセッションが確立されると、該確立されたセッション情報をセッション情報保持部に記憶するステップと、
前記制御部が、前記第１のセッションが確立された状態で、前記第２のボタンの押下を検知すると、前記第１のセッションを維持した状態で、前記第２の通信相手との間のセッション確立要求を送信し、該第２の通信相手との間で第２のセッションが確立されると、該確立されたセッション情報を前記セッション情報保持部に記憶するステップと、
前記制御部が、前記第１のセッション及び第２のセッションが確立された状態で、前記第１又は第２のボタンの押下を検知すると、前記第１のセッション又は第２のセッションにおける発言権取得要求を送信するステップとを実行させることを特徴とする。
【発明の効果】
【００１１】
本発明の通信端末装置、通信方法、及び、プログラムによると、第１及び第２のボタンのそれぞれをセッション確立要求、及び、発言権獲得要求の双方に使用するため、セッション間の移行の際における操作が容易である。
【００１２】
本発明の通信端末装置の好ましい態様では、前記制御部は、前記第１及び第２のセッションが確立した後に、前記第１のボタンの押下によって前記第１の通信相手に発言権が取得されると、前記第２のセッションを少なくとも一時的に保持する手段を更に備える。第１の通信相手と第２の通信相手のセッション間で特にスムーズな移行が可能である。
【００１３】
前記制御部は、前記第２の通信相手とのセッション情報が記憶され、且つ、前記第１のセッションが確立された状態で、前記第２のボタンの押下を検知すると、前記記憶された第２の通信相手とのセッション情報に基づいて前記第２の通信相手との間での発言権取得要求を送信する手段を更に備えることも本発明の好ましい態様である。
【００１４】
更に、前記第２のボタンを複数備えることも好ましい。この場合には、前記第２のボタンとしてテンキーボタンが好適に使用可能である。
【００１５】
前記第２のボタンと、グループ内の各相手とを対応付けて記憶装置に記憶する手段と、該記憶された対応付けを表示する表示装置とを更に備えることも好ましい。視覚的な表示により、相手先の選択についての間違いが減る。
【００１６】
前記第１の通信相手は特定のグループであり、前記第２の通信相手は、該特定のグループに含まれる個人であることも本発明の好ましい態様である。グループ通信中にそのグループ内の個人と個別に通信することが容易になる。また、この場合には、前記制御部は、前記第１のボタンと１つ以上の第２のボタンとが同時に押下されると、該押下された第２のボタンに対応する第２の通信相手を除いたグループ内のメンバーと個別に通信するセッションを確立する手段を更に備えることも好ましい。第２の通信相手との個別通信、及び、第２の通信相手を除いた個別通信の双方についての頻度が大きく、これを簡便に行うことが出来る。
【発明を実施するための最良の形態】
【００１７】
図１は、本発明の一実施形態に係るＰｏＣ通信システムで使用される通信端末装置の外観図である。本通信端末装置１０は、ヒンジ１１を介して折り畳み可能に結合された第１筐体１２及び第２筐体１３を有する。第１筐体１２は表示部１４と受話部１５とを備え、第２筐体１３は、テンキー１６及びＴａｌｋボタン１７を含む操作部と、送話部１８とを備える。Ｔａｌｋボタン１７は、第２筐体１３の側面に配設され、第１の発言権取得ボタンとして動作する。操作部のテンキー１６の各々のキーボタンは、第２の発言権取得ボタンとして動作する。表示部１４は、機器の動作状態等を表示する。表示部１４は、例えば図３に示すように、テンキーに対応する数字（インデックス）と、通信相手のグループメンバーの各人の名称と、その通信相手の状態に関するグループメンバー情報とを表示する。
【００１８】
図２は、図１の通信端末装置１０の機能ブロック図である。通信端末装置１０は、送信部２１、受信部２２、表示部１４、入力部２３、制御部２４、第１及び第２の通信セッション保持部２５，２６、及び、グループメンバ取得部２７を有する。これらは、ＣＰＵに与えられるプログラムによって構築される。送信部２１は通信端末装置から基地局に対するデータ送信を行う。受信部２２は基地局から通信端末装置へのデータ受信を行う。PoCではデータ送受信については、特にパケットデータ通信が好適である。制御部２４は、送信部２１及び受信部２２による通話の制御と、入力部２３における入力、表示部１４における表示などの制御を行う。表示部１４は、制御部２４から指示された情報を表示する。入力部２３は、テンキー１６及びＴａｌｋボタン１７からの操作入力を受け取る。
【００１９】
通信セッション情報保持部２５、２６は、PoC通信セッションの情報を保持する。例えば第１の通信セッション保持部２５は、グループに対する通信に関するセッション情報を保持し、第２の通信セッション保持部２６は、グループ内の特定メンバーとの通信に関するセッション情報を保持する。グループメンバ取得部２７は、通信先グループの各メンバーの情報を取得し記憶している。通信先グループの情報は、図３に例示したように、表示部に表示される。
【００２０】
図４は、上記通信端末装置１０（１０Ａ、１０Ｂ、１０Ｃ）を利用して行われるグループ通話中の状態を示している。通信端末装置１０Ａの所有者が主催者として会議を開催するときには、主催者は、例えばＴａｌｋボタン１７を押すことで、グループメンバ取得部２７に記憶されたグループを指定して、ＰｏＣサーバ３０に通知する。ＰｏＣサーバ３０は、主催者との間でセッションを確立すると共に、グループ構成メンバーの端末装置１０Ｂ、１０Ｃのそれぞれとセッションを確立する。これらセッション情報は、ＰｏＣサーバ３０内、及び、主催者を含む各メンバーが保有する通信端末装置１０Ａ、１０Ｂ、１０Ｃの第１の通信セッション保持部２５に記憶される。
【００２１】
この時点で、主催者と各参加者との間で会議における地位には特に違いはなく、その後は、通話の送信者と受信者との違い、つまり、発言者とその他のメンバーとの違いのみになる。グループ内での発言は、その後に第１の発言権取得ボタンを構成するＴａｌｋボタン１７を押下することにより行われる。Ｔａｌｋボタン１７の押下中の通話は、その他の構成メンバーに送信される。表示部１４は、構成メンバーの情報を図３に示すように表示する。第１の発言権は、セッションが確立した後に、グループ内で最初にＴａｌｋボタン１７を押した参加者に与えられ、且つ、押し続けることによりその参加者によって維持される。
【００２２】
会議参加者が、自身の端末装置１０Ａを利用して、グループ内の特定メンバー“Ｂ”の端末装置１０Ｂに対して個別に通信を行いたい場合には、表示部１４の表示を参照して、その特定メンバー“Ｂ”の端末装置１０Ｂを指定するテンキー“２”を押下する。テンキー“２”が押下されると、制御部２４はグループメンバ取得部２７の情報を参照して、メンバー“Ｂ”を指定して個別通信要求をＰｏＣサーバ３０に送信する。ＰｏＣサーバ３０は、メンバー“Ｂ”の端末装置１０Ｂに個別通信要求を送り、そのセッションが確立すると、そのセッション情報をメンバー“Ｂ”の端末装置１０Ｂ及び個別通信要求を送信した参加者の端末装置１０Ａに送信する。
【００２３】
メンバー“Ｂ”及びその個別通信要求を送信した参加者は、そのセッション情報を通信端末装置の第２の通信セッション保持部２６に記憶する。つまり、この実施形態では、各テンキーは、それに対応する参加者へのセッション確立要求ボタンとして機能する。このとき、グループ間通信については、その通信セッションが切断されず維持された状態で、特定メンバーに対しての通信セッションが確立される。この個別セッション情報は、第２の通信セッション保持部２６に保持される。
【００２４】
個別にセッションを確立したメンバーは、その後はグループのセッション情報と、個別セッション情報の双方が記憶されているので、Ｔａｌｋボタン又は対応するテンキーを押下することにより、既に確立されている双方のセッションを利用して通話が可能になる。つまり、この例では、発言者は、特定メンバー“Ｂ”との通信を終えた後、グループに対して発言すべく、第１の発言権取得ボタンを操作することができる。グループ通信のためのセッションは、第１の通信セッション保持部２５に保持され、且つ、セッションがそのまま維持されているので、グループに対しての発言は、単にＴａｌｋボタン１７の押下により行われる。このとき、特定メンバー“Ｂ”との通信は終わっているが、第２の通信セッション保持部２６に保持されている情報は、一定時間保持される。さらに別の特定メンバーとの通信、例えばメンバー“Ｅ”に対して個別に通信が必要な場合は、同様にキー５を押下する。
【００２５】
図５は、上記会議主催者が保有する端末装置１０Ａの制御部２４の処理を示すフローチャートである。処理がスタートし、Ｔａｌｋボタン１７が押下されると（ステップＳ１）、制御部２４は、グループメンバ取得部２７を参照して、グループ通信セッション確立要求を送信する（ステップＳ２）。ＰｏＣサーバ３０は、これに応答し、該当するグループの構成メンバーにセッションの確立を行う。セッションが確立すると、その旨が端末装置１０Ａに送信されるので、制御部２４は、その確立したセッション情報を第１の通信セッション保持部２５に記憶する（ステップＳ３）。
【００２６】
次いで、Ｔａｌｋボタン１７が押下されると（ステップＳ４）、制御部２４は、発言権取得の要求をＰｏＣサーバ３０に送信する（ステップＳ５）。ＰｏＣサーバ３０は、他に発言者がいないことを確認して、発言権取得承認の旨を端末装置１０Ａに送信する。会議中に主催者が個別通信を行いたい場合には、その個別通信の相手先を指定してテンキーが押下される（ステップＳ６）。制御部２４は、押下されたテンキーを識別し、グループメンバ取得部２７を参照し、相手先を指定した個別通信セッション要求をＰｏＣサーバ３０に送信する（ステップＳ７）。ＰｏＣサーバ３０は、その相手が発言権を取得していないことを確認して、セッションを確立し、その旨を端末装置１０Ａに送信する。
【００２７】
制御部２４は、そのセッション情報を第２の通信セッション保持部２６に記憶する（ステップＳ８）。セッションが確立されるとその旨が表示部１４に表示される。次いで、一定時間が経過していないことを前提として（ステップＳ９）、先に押下された同じテンキーが端末装置１０Ａで押下されると（ステップＳ１０）、制御部２４は、第２の通信セッション保持部２６を参照して、個別通信相手を指定した発言権要求を送信する（ステップＳ１１）。個別通信が終了すると、その第２のセッションが確立されたままで、グループ通信のセッションに移行する。第２の通信セッション保持部２６の記憶は、個別通信のセッションが確立された後に一定の時間が経過してもテンキーが押下されない場合（ステップＳ１０）、及び、グループ通信に移行した後に、一定の時間が経過しても再び個別通信が再開されない場合に（ステップＳ６）、その情報が破棄される（ステップＳ１２）。
【００２８】
上記実施形態では、特定メンバーに対応するテンキーを押下して特定メンバーに通話を行う例について示した。以下の実施形態では、特定メンバーに対応するテンキーを押下して特定メンバーに通話を行うモードと、特定メンバーに対応するテンキーを押下して、その特定メンバー以外のメンバーと通話するモードとを有する例を説明する。
【００２９】
グループ間でPoC通信を行っているとき、特定メンバーを除くグループ内の他のメンバーに発言をしたい場合がある。本実施形態例では、グループ間通信においては、先の実施形態と同様に、Ｔａｌｋボタン（第一の発言権取得ボタン）の押下により、グループ間通信のための発言権取得が行われる。ここで、Ｔａｌｋボタンを押下したまま、テンキー（第二の発言権取得ボタン）を押下すると、そのテンキーに割り当てられた個別メンバー「以外」のグループ内の個別メンバーに対する発言権が取得される。発言権の取得は、各個別メンバーそれぞれに対する通信セッションを確立した上で行うものであってもよいし、選択された特定メンバー以外のグループが生成され、そのグループに対する通信セッションを確立した上で行うものであってもよい。
【００３０】
テンキーが押下されたとき、特定メンバーに対する発言権を取得する第１のモードと、特定メンバー「以外」に対する発言権を取得する第２のモードとの切り替えは、Ｔａｌｋボタンを同時に押下することにより行う。例えば、Ｔａｌｋボタンを押下せずにテンキーのみを押下した場合には、第１のモードとして動作し、Ｔａｌｋボタンの押下と同時にテンキーが押された場合には、第２のモードとして動作する。Ｔａｌｋボタンのみを押下したときには、通常のグループ間通信が行われる。本実施形態例では、特定メンバーを除く他のグループメンバーへの発言は、グループ全体への発言を行うＴａｌｋボタンと、特定メンバーへの発言を行う「テンキー」とを同時押しすることで、「グループ、除く特定者」への発言を直感的に理解でき、簡便な操作を実現する。
【００３１】
上記実施形態では、グループに対する通信を行っている際に、そのグループに属する特定者に対して簡便に通信を行うことができ、よりスムーズなコミュニケーションを図ることができる。
【００３２】
上記各実施形態では、PoC通信可能な通信端末装置において、発言権取得ボタンを２種類持つ。第１の発言権取得ボタンは、グループ通信に対する発言権を取得するボタンである。第２の発言権取得ボタンは、グループ通信を行っているグループに属する特定のメンバーに対する通信についての発言権取得ボタンである。操作者はグループ通信を行うために第１の発言権取得ボタンを操作する。ここで一時的にグループ内の特定メンバーに対して通信を行う必要が生じた場合に、操作者は第２の発言権取得ボタンを操作する。その後に、操作者が再度グループ全体に対して発言をする必要が生じた場合は、第１の発言権取得ボタンを押下する。以上によりグループ内の特定メンバーに対する個別通信を簡便に行うことが可能となる。
【００３３】
なお、図３に示すメンバー表示に代えて、図６に示すように、テンキーの配置にあわせたアイコン表示でもよい。また、上記実施形態では、グループとグループに属する特定メンバーとしたが、複数グループ群とグループ群に属する個々のグループまたは特定メンバーでもよい。また、通信セッション保持部を３つ以上とすることにより、２人以上の特定者との切替も可能である。
【００３４】
以上、本発明をその好適な実施態様に基づいて説明したが、本発明の通信端末装置は、上記実施態様の構成にのみ限定されるものではなく、上記実施態様の構成から種々の修正及び変更を施したものも、本発明の範囲に含まれる。
【図面の簡単な説明】
【００３５】
【図１】本発明の一実施形態に係る通信端末装置の外観を示す正面図。
【図２】図１の通信端末装置の機能ブロック図。
【図３】図１の通信端末装置の表示部における表示の例。
【図４】図１の通信端末装置でグループ通信を行っている通話中の状態を示すブロック図。
【図５】図１の通信端末装置の制御部における処理を示すフローチャート。
【図６】図１の通信端末装置の表示部における表示の別の例。
【符号の説明】
【００３６】
１０：通信端末装置
１１：ヒンジ
１２：第１筐体
１３：第２筐体
１４：表示部
１５：受話部
１６：テンキー
１７：Ｔａｌｋボタン
１８：送話部
２１：送信部
２２：受信部
２３：入力部
２４：制御部
２５：第１の通信セッション保持部
２６：第２の通信セッション保持部
２７：グループメンバ取得部
３０：ＰｏＣサーバ
【図１】
2007243864.tif 000003
【図２】
2007243864.tif 000004
【図３】
2007243864.tif 000005
【図４】
2007243864.tif 000006
【図５】
2007243864.tif 000007
【図６】
2007243864.tif 000008